(57)【要約】【課題】  スイッチの設置箇所を工夫することによって、コンパクトで、しかも、構造が簡素な電子機器のヒンジ装置を提供する。【解決手段】  第１の筐体（一方がケース４）と第２の筐体とを回転可能に連結するヒンジ装置７を有する電子機器において、ヒンジ装置には、スイッチ８とスイッチリング９が装着される。スイッチは、ヒンジ装置の収納部７ａに収納され、スイッチリングは、ヒンジ装置の小径円筒部７ｂに相対的に回転可能にはめ込まれる。ヒンジ装置内には、フレキシブル基板（ＦＰＣ）の一部が収納され、ＦＰＣの導体露出部６ａ，６ａは、スイッチの第１のコンタクト８ｂ，８ｃにそれぞれ接続している。第１の筐体、カメラ３及びヒンジ装置が第２の筐体に対して回転すると、第２のコンタクト８ｄはスイッチリングにより押圧されて第１のコンタクトに接続する。したがって、カメラ画像を上下反転させるための信号を得ることができる。【選択図】  図７
2005147205.tif 000002
【特許請求の範囲】
【請求項１】
第１の筐体と第２の筐体とを回転可能に連結するヒンジ装置を有する電子機器において、
前記ヒンジ装置は、スイッチと、カムとを有し、
前記スイッチは、第１のコンタクトと、第２のコンタクトと、前記両コンタクトを保持するベースとから構成され、
前記カムは、前記第２のコンタクトを押圧又は非押圧することができるカム部を有し、
前記第１の筐体と前記第２の筐体とが相対的に回転する際、前記カム部が前記第２のコンタクトを押圧又は非押圧することによって、前記第２のコンタクトと前記第１のコンタクトとのＯＮ−ＯＦＦを行うことを特徴とする電子機器のヒンジ装置。
【請求項２】
前記ヒンジ装置は、前記スイッチを収納する収納部を有し、前記スイッチは前記収納部に対して着脱可能であることを特徴とする請求項１記載の電子機器のヒンジ装置。
【発明の詳細な説明】
【技術分野】
【０００１】
本発明は、携帯電話、携帯情報端末（ＰＤＡ）及びノートブック型パーソナル・コンピュータ等の電子機器に用いられるヒンジ装置に関する。
【背景技術】
【０００２】
従来の第１の電子機器２１は、図２２に示されるように、操作側２２と表示側２３とから構成され、ヒンジ装置によって表示側２３が操作側２２に対して１８０゜開閉することができる。
【０００３】
表示側２３の開閉を検出するために、操作側２２にリード・スイッチ、磁気抵抗効果（ＭＲ）素子又はホール素子と磁石の組合せ等が採用され、また、その制御回路も必要とされている。
【０００４】
従来の第２の電子機器について説明する（例えば、特許文献１参照。）。
【０００５】
携帯端末３１は、図２３と図２４に示されるように、第２の筐体３２と、第２の筐体３２に対してヒンジ装置３４によって約１８０゜回転可能に取り付けられる第１の筐体３３とを有する。
【０００６】
第２の筐体３２の３箇所に設けられた円筒状部３５の間の一方の円弧状凹部３６には、穴部３６ａが形成される。基板３７に実装されたスイッチ３８は穴部３６ａの内側に設けられ、スイッチ３８のレバー３８ａは穴部３６ａから突出する。
【０００７】
第１の筐体３３の２箇所に設けられた円筒状部３９は、それぞれ２箇所の円弧状凹部３６に挿入される。穴部３６ａは、一方の円筒状部３９によって、携帯端末３１の開閉にかかわらず常時被覆されている。したがって、スイッチ３８は、常時外観上見えない位置に設けられている。一方の円筒状部３９に形成された突起３９ａは、スイッチ３８のレバー３８ａを作動する。
【０００８】
図２３に示される携帯端末３１の閉鎖状態では、突起３９ａがレバー３８ａを押圧しているため、スイッチ３８はＯＦＦ状態にされている。第２の筐体３３をヒンジ装置３４を中心として左回転すると、突起３９ａがレバー３８ａから離間するため、スイッチ３８はＯＮ状態になる。
【特許文献１】特開２００２−３２００１４号公報（第３頁第３欄第１５行−第４欄第２６行、図１−５）
【発明の開示】
【発明が解決しようとする課題】
【０００９】
前記従来の両電子機器では、表示側（第１の筐体）の開閉を検出するためのスイッチは、操作側（第２の筐体）内に設置されているので、各電子機器は、かさ高になり、また、構造が複雑になる。
【００１０】
そこで、本発明は、前記従来の両電子機器の欠点を改良し、スイッチの設置箇所を工夫することによって、コンパクトで、しかも、構造が簡素な電子機器のヒンジ装置を提供しようとするものである。
【課題を解決するための手段】
【００１１】
本発明は、前記課題を解決するため、次の手段を採用する。
【００１２】
１．第１の筐体（４，５，１４）と第２の筐体（１，２，１１）とを回転可能に連結するヒンジ装置を有する電子機器において、前記ヒンジ装置は、スイッチと、カム（スイッチリング９）とを有し、前記スイッチは、第１のコンタクトと、第２のコンタクトと、前記両コンタクトを保持するベースとから構成され、前記カムは、前記第２のコンタクトを押圧又は非押圧することができるカム部を有し、前記第１の筐体と前記第２の筐体とが相対的に回転する際、前記カム部が前記第２のコンタクトを押圧又は非押圧することによって、前記第２のコンタクトと前記第１のコンタクトとのＯＮ−ＯＦＦを行う電子機器のヒンジ装置。
【００１３】
２．前記ヒンジ装置は、前記スイッチを収納する収納部を有し、前記スイッチは前記収納部に対して着脱可能である前記１記載の電子機器のヒンジ装置。
【発明の効果】
【００１４】
明細書の説明から明らかなように、本発明は、次の効果を奏する。
【００１５】
１．ヒンジ装置が、スイッチとカム（実施例のスイッチリング）を有するから、スイッチを他の箇所に設置する必要がないので、電子機器は、コンパクトに構成される。
【００１６】
２．第１の筐体と第２の筐体とが相対的に回転する際に行われるスイッチングは、単純なカムによって制御されるので、電子機器の構造は、簡素である。
【発明を実施するための最良の形態】
【００１７】
本発明の２つの実施例の電子機器のヒンジ装置について説明する。
【実施例１】
【００１８】
本発明の実施例１のカメラ搭載型の電子機器のヒンジ装置について図１−図１４を参照して説明する。
【００１９】
図１は、カメラ３及びヒンジ装置７とその近傍の斜視図である。
【００２０】
図２は、図１を向側から見た拡大斜視図である。ただし、スイッチ８とスイッチリング９がヒンジ装置７から外されている。
【００２１】
スイッチ８を一部を破断して斜視図として図３に示す。スイッチ８は、ベース８ａと、ベース８ａに設けられた溝８ａ１，８ａ２にそれぞれはめ込まれる略コ字形状で細い幅の第１の一方のコンタクト８ｂ、第１の他方のコンタクト８ｃと、両コンタクト８ｂ，８ｃの上に位置する略Ｌ字形状で太い幅の第２のコンタクト８ｄとから構成される（図５，６参照）。
【００２２】
カメラ搭載型の電子機器は、図４の分解斜視図に示される諸部品から構成される。
【００２３】
ケース１とケース２は一対であって、スイッチリング９と外郭部材１０はケース１，２の先端側の間に固定される。フレキシブル基板（ＦＰＣ）６の一部は、巻かれることによって外郭部材１０内に収納される。ヒンジ装置７は、外郭部材１０に回転可能に保持される。カメラ３は一対のケース４とケース５によって表裏から挟持され、カメラ３とケース４，５はヒンジ装置７に固定される。本書では、ケース４，５を第１の筐体と、ケース１，２を第２の筐体と、それぞれ呼称する。
【００２４】
図５はスイッチ８の分解斜視図、図６はスイッチ８が組み立てられた状態の斜視図を、それぞれ示す。
【００２５】
図７は、スイッチ８とスイッチリング９がヒンジ装置７に装着される前の状態の斜視図である。スイッチ８はヒンジ装置７の一端側に設けられた収納部７ａに収納され、スイッチリング９はヒンジ装置７の一端側に設けられた小径円筒部７ｂに相対的に回転可能にはめ込まれる。
【００２６】
ヒンジ装置７は、図８に示されるように、軸方向に２つ割可能な円筒構造であって、図８は、ヒンジ装置７の上半部が除去された状態を示す。フレキシブル基板６の一部は、巻かれることによってヒンジ装置７内に収納され、フレキシブル基板６の一端には、２箇所の導体露出部６ａが設けられている。スイッチ８の第１の一方のコンタクト８ｂと第１の他方のコンタクト８ｃは、それぞれ２箇所の導体露出部６ａに接続されている。
【００２７】
スイッチリング９とスイッチ８の関係を、図９，１０に示す。スイッチリング９には、カム部９ａが円形に穿孔され、カム部９ａの円周面の１箇所に逃げ部９ａ１が設けられている。
【００２８】
スイッチ８のＯＮ状態とＯＦＦ状態を図１０に示す。図１０（Ａ）は、スイッチ８のＯＮ状態であり、第２のコンタクト８ｄがカム部９ａの円周面によって押圧されているので、第２のコンタクト８ｄは第１のコンタクト８ｂ，８ｃと接続している。すなわち、カメラ３は、撮影可能である。図１０（Ｂ）は、図１０（Ａ）の状態からヒンジ装置７が１８０゜回転し、スイッチ８のＯＦＦ状態であり、第２のコンタクト８ｄがカム部９ａの逃げ部９ａ１内に位置するので、第２のコンタクト８ｄは第１のコンタクト８ｂ，８ｃと接続していない。
【００２９】
図１１は、カメラ３が電子機器に対して１８０゜回転して突出したスイッチＯＮ状態であり、カメラ画像をＯＦＦ状態に対して上下反転させるための信号を得ることができる。
【００３０】
図１２は、図１１の状態におけるヒンジ装置７及びケース５とその近傍の拡大斜視図であり、（Ａ）はスイッチリング９がヒンジ装置７から外れた状態、（Ｂ）はスイッチリング９がヒンジ装置７に装着された状態を、それぞれ示す。
【００３１】
図１３は、図１１の状態からカメラ３が電子機器に対して１８０゜回転して収納されたスイッチＯＦＦの状態であり、撮影者自身等を撮影することができる。反対に０゜の状態（スイッチＯＦＦ状態）では前方を撮影することができる。
【００３２】
図１４は、図１３の状態におけるカメラ３及びヒンジ装置７とその近傍の拡大斜視図であり、（Ａ）はスイッチリング９がヒンジ装置７から外れた状態、（Ｂ）はスイッチリング９がヒンジ装置７に装着された状態を、それぞれ示す。
【００３３】
本実施例では、カメラ画像を反転させるための信号をスイッチ８のＯＮ−ＯＦＦによって得るようにしたが、カメラ電源等のＯＮ−ＯＦＦに用いてもよい。
【実施例２】
【００３４】
本発明の実施例２の電子機器のヒンジ装置について図１５−図２１を参照して説明する。実施例２についての説明は、実施例１と同様な点の説明を省略し、相違する点のみの説明を行う。
【００３５】
図１５は、ヒンジ装置７とその近傍の斜視図である。ただし、スイッチ８とスイッチリング９は、ヒンジ装置７に装着されていない状態を示す。
【００３６】
図１６は、図１５の状態においてスイッチ８がヒンジ装置７に収納された状態を示す。
【００３７】
図１７は、電子機器の一例としての携帯電話の分解斜視図である。操作側１１はケース１２，１３から構成され、表示側１４はケース１５，１６から構成される。本書では、表示側１４を第１の筐体、操作側１１を第２の筐体と、それぞれ呼称する。
【００３８】
図１８は、携帯電話が組み立てられた状態の斜視図である。
【００３９】
図１９は、表示側１４が操作側１１に対して完全に閉じた状態、すなわち、スイッチＯＦＦ状態を示す。
【００４０】
図２０は、表示側１４が操作側１１から開く途中の状態であり、スイッチＯＮ状態を示す。
【００４１】
図２１は、表示側１４が操作側１１から完全に開いた状態、すなわち、スイッチＯＮ状態を示す。
【００４２】
本発明の各実施例における２箇所の導体露出部６ａと第１のコンタクト８ｂ，８ｃを、それぞれ単一に構成し、第２のコンタクト８ｄと単一の導体露出部と単一の第１のコンタクトとが閉回路を構成するように設計変更することができる。
【図面の簡単な説明】
【００４３】
【図１】本発明の実施例１のカメラ搭載型の電子機器のヒンジ装置におけるカメラ及びヒンジ装置とその近傍の斜視図である。
【図２】図１を向側から見た拡大斜視図である。ただし、スイッチとスイッチリングが同ヒンジ装置から外されている。
【図３】同スイッチを一部を破断して示す斜視図である。
【図４】同電子機器の分解斜視図である。
【図５】同スイッチの分解斜視図である。
【図６】同スイッチが組み立てられた状態の斜視図である。
【図７】同スイッチと同スイッチリングが同ヒンジ装置に装着される前の状態の斜視図である。
【図８】同ヒンジ装置の上半部が除去された状態の斜視図である。
【図９】同スイッチリングが同ヒンジ装置に装着される前の状態を示す斜視図である。
【図１０】同スイッチリングによる同スイッチのＯＮ−ＯＦＦ状態図であり、（Ａ）はＯＮ状態、（Ｂ）はＯＦＦ状態を、それぞれ示す。
【図１１】同電子機器のスイッチＯＮ状態の斜視図である。
【図１２】図１１の状態における同カメラ及び同ヒンジ装置とその近傍の斜視図であり、（Ａ）は同スイッチリングが同ヒンジ装置から外れた状態、（Ｂ）は同スイッチリングが同ヒンジ装置に装着された状態を、それぞれ示す。
【図１３】同カメラが同電子機器に収納された状態の斜視図である。
【図１４】図１３の状態における同カメラ及び同ヒンジ装置とその近傍の斜視図であり、（Ａ）は同スイッチリングが同ヒンジ装置から外れた状態、（Ｂ）は同スイッチリングが同ヒンジ装置に装着された状態を、それぞれ示す。
【図１５】本発明の実施例２の電子機器の一例としての携帯電話のヒンジ装置とその近傍の斜視図である。ただし、スイッチとスイッチリングは、ヒンジ装置に装着されていない。
【図１６】図１５の状態において同スイッチが同ヒンジ装置に収納された状態を示す。
【図１７】同携帯電話の分解斜視図である。
【図１８】同携帯電話が組み立てられた状態の斜視図である。
【図１９】同携帯電話の表示側が操作側に対して完全に閉じた状態の斜視図である。
【図２０】同携帯電話の同表示側が同操作側から開く途中の状態の斜視図である。
【図２１】同携帯電話の同表示側が同操作側から完全に開いた状態の斜視図である。
【図２２】従来の第１の電子機器の表示側が操作側から完全に開いた状態の斜視図である。
【図２３】従来の第２の電子機器である携帯端末の要部の断面図である。
【図２４】同携帯端末の組立前の要部の斜視図である。
【符号の説明】
【００４４】
１  ケース（第２の筐体の一方）
２  ケース（第２の筐体の他方）
３  カメラ
４  ケース（第１の筐体の一方）
５  ケース（第１の筐体の他方）
６  フレキシブル基板（ＦＰＣ）
６ａ  導体露出部
７  ヒンジ装置
７ａ  収納部
７ｂ  小径円筒部
８  スイッチ
８ａ  ベース
８ａ１  溝
８ａ２  溝
８ｂ  第１の一方のコンタクト
８ｃ  第１の他方のコンタクト
８ｄ  第２のコンタクト
９  スイッチリング（カム）
９ａ  カム部
９ａ１  逃げ部
１０  外郭部材
１１  操作側（第２の筐体）
１２  ケース
１３  ケース
１４  表示側（第１の筐体）
１５  ケース
１６  ケース
【図１】
2005147205.tif 000003
【図２】
2005147205.tif 000004
【図３】
2005147205.tif 000005
【図４】
2005147205.tif 000006
【図５】
2005147205.tif 000007
【図６】
2005147205.tif 000008
【図７】
2005147205.tif 000009
【図８】
2005147205.tif 000010
【図９】
2005147205.tif 000011
【図１０】
2005147205.tif 000012
【図１１】
2005147205.tif 000013
【図１２】
2005147205.tif 000014
【図１３】
2005147205.tif 000015
【図１４】
2005147205.tif 000016
【図１５】
2005147205.tif 000017
【図１６】
2005147205.tif 000018
【図１７】
2005147205.tif 000019
【図１８】
2005147205.tif 000020
【図１９】
2005147205.tif 000021
【図２０】
2005147205.tif 000022
【図２１】
2005147205.tif 000023
【図２２】
2005147205.tif 000024
【図２３】
2005147205.tif 000025
【図２４】
2005147205.tif 000026